(57)【要約】【課題】縦框と横框の連結部分に配置されるカバー部材を容易に取り付けることができる製造性の高い建具を提供すること。【解決手段】建具１は、一方の縦框３４は、枠体２に対向するとともにビス９０が締結される見込面３４０ａを有し、他方の上横框３１、下横框３２は、一方の縦框３４の見込面３４０ａの反対側に当接した状態で、当該縦框３４の見込面３４０ａを貫通するビス９０が締結されるビス取付部３１２，３２３を有する。障子３は、一方の縦框３４の端面の少なくとも一部を覆う框本体カバー５３及び見込面３４０ａに固定される框固定部５１を有するコーナーピース（カバー部材）５０を備え、框固定部５１は、見込面３４０ａに配置された状態でビス９０の締結孔３４６から間隔をあけた位置に形成される嵌合爪（嵌合部）５１１を有し、当該嵌合爪５１１によって見込面３４０ａに固定される。【選択図】図５
2019157540.tif 000002
【特許請求の範囲】
【請求項１】
枠体及び前記枠体の内側に開閉可能に取り付けられ、横框及び縦框を有する障子を備える建具であって、
前記横框及び前記縦框の何れか一方の框は、前記枠体に対向するとともに締結部材が締結される見込面を有し、
前記横框及び前記縦框の他方の框は、前記一方の框の前記見込面の反対側に当接した状態で、当該一方の框の前記見込面を貫通する前記締結部材が締結される締結部材取付部を有し、
前記障子は、
前記一方の框の端面の少なくとも一部を覆う框本体カバー及び前記一方の框の前記見込面に固定される框固定部を有するカバー部材を備え、
前記框固定部は、
前記見込面に配置された状態で前記締結部材の締結孔から間隔をあけた位置に形成される嵌合部を有し、当該嵌合部によって前記見込面に固定される建具。
【請求項２】
前記カバー部材は、
前記他方の框の見込面に対向する第２のカバー部を有する請求項１に記載の建具。
【請求項３】
前記第２のカバー部は、前記一方の框の端面との間に隙間を形成する請求項２に記載の建具。
【請求項４】
前記一方の框は、
前記見込面を有する框本体及び前記框本体から見付方向で前記枠体側に延びる框延出片を有し、
前記カバー部材は、前記框延出片のコーナーを覆う延出片カバーを更に有する請求項１から３の何れかに記載の建具。
【発明の詳細な説明】
【技術分野】
【０００１】
本発明は、框及び框の端部に取り付けられるカバー部材を備える建具に関する。
【背景技術】
【０００２】
従来、框の端部にカバー部材を取り付けた建具が知られている。特許文献１には、障子コーナー部に合成樹脂製のコーナーピース（カバー部材）を取り付けて各框部材の端面を塞ぐ構成にいて記載されている。
【先行技術文献】
【特許文献】
【０００３】
【特許文献１】特開２００７−２５１０号公報
【発明の概要】
【発明が解決しようとする課題】
【０００４】
ところで、縦框に横框を框組みする場合において、縦框と横框を連結するビス等の締結部材で縦框と横框の連結部分に配置されるカバー部材を共締めして固定する場合がある。しかしながら、この構成では、カバー部材を連結部分に配置した状態を維持しながら締結部材を締結して框組みを行う必要がある。組立の手順が限定されてしまうため、製造性の向上という点で改善の余地があった。また、縦框や横框の製造時のバラツキ等により、一方の框（例えば、縦框）の端面から他方の框（例えば、横框）がはみ出す場合、締結部材によって固定されるカバー部材が干渉し、取付作業が容易に行うことができないこともある。
【０００５】
本発明は、縦框と横框の連結部分に配置されるカバー部材を容易に取り付けることができる製造性の高い建具を提供することを目的とする。
【課題を解決するための手段】
【０００６】
本発明は、枠体（例えば、後述の枠体２）及び前記枠体の内側に開閉可能に取り付けられ、横框（例えば、後述の上横框３１、下横框３２）及び縦框（例えば、後述の縦框３３，３４）を有する障子（例えば、後述の障子３）を備える建具（例えば、後述の建具１）であって、前記横框及び前記縦框の何れか一方の框（例えば、後述の縦框３４）は、前記枠体に対向するとともに締結部材が締結される見込面（例えば、後述の見込面３４０ａ）を有し、前記横框及び前記縦框の他方の框（例えば、後述の上横框３１、下横框３２）は、前記一方の框の前記見込面の反対側に当接した状態で、当該一方の框の前記見込面を貫通する前記締結部材（例えば、後述のビス９０）が締結される締結部材取付部（例えば、後述のビス取付部３１２，３２３）を有し、前記障子は、前記一方の框の端面の少なくとも一部を覆う框本体カバー（例えば、後述の框本体カバー５３）及び前記一方の框の前記見込面に固定される框固定部（例えば、後述の框固定部５１）を有するカバー部材（例えば、後述のコーナーピース５０）を備え、前記框固定部は、前記見込面に配置された状態で前記締結部材の締結孔（例えば、後述の締結孔３４６）から間隔をあけた位置に形成される嵌合部（例えば、後述の嵌合爪５１１）を有し、当該嵌合部によって前記見込面に固定される建具に関する。
【０００７】
前記カバー部材は、前記他方の框の見込面（例えば、後述の見込面３１０ａ）に対向する第２のカバー部（例えば、後述のカバー延出部５３２）を有することが好ましい。
【０００８】
前記第２のカバー部は、前記一方の框の端面との間に隙間（例えば、後述の隙間ｄ）を形成することが好ましい。
【０００９】
前記一方の框は、前記見込面を有する框本体（例えば、後述の框本体３４０）及び前記框本体から見付方向で前記枠体側に延びる框延出片（例えば、後述の框延出片３４５）を有し、前記カバー部材は、前記框延出片のコーナーを覆う延出片カバー（例えば、後述の延出片カバー５２）を更に有することが好ましい。
【発明の効果】
【００１０】
本発明によれば、縦框と横框の連結部分に配置されるカバー部材を容易に取り付けることができる製造性の高い建具を実現できる。
【図面の簡単な説明】
【００１１】
【図１】本発明の一実施形態に係る建具の縦断面図である。
【図２】本実施形態の建具の横断面図である。
【図３】本実施形態の障子のコーナーを屋外側から見た様子を示す図である。
【図４】本実施形態の障子のコーナーを屋内側から見た様子を示す図である。
【図５】本実施形態の縦框と上横框の接続部分にコーナーピースが取り付けられた様子を屋内側から見た斜視図である。
【図６】本実施形態の縦框と上横框の接続部分にコーナーピースが取り付けられる前の様子を屋内側から見た斜視図である。
【図７】本実施形態のコーナーピースの取付面側を示す斜視図である。
【図８】本実施形態のコーナーピースの框本体カバーを示す図４の拡大図である。
【発明を実施するための形態】
【００１２】
以下、本発明の好ましい実施形態について、図面を参照しながら説明する。図１は、本発明の一実施形態に係る建具１の縦断面図である。図２は、本実施形態の建具１の横断面図である。
【００１３】
図１及び図２に示すように、建具１は、建物の壁に形成された開口部（図示せず）に取り付けられる枠体２と、枠体２に開閉可能に納められた障子３と、障子３の屋内側に張設された網戸４と、を備えている。
【００１４】
建具１は、アルミ等の金属と塩化ビニル等の樹脂とからなる枠体２を有する複合型の建具であり、断熱性に優れる。即ち、枠体２は、上横枠２１、下横枠２２及び左右の縦枠２３、２４によって矩形状に枠組みされて形成されている。上横枠２１、下横枠２２及び縦枠２３、２４は、障子３が開閉可能に取り付けられる金属上横枠２１１、金属下横枠２２１及び金属縦枠２３１、２４１と、網戸４が張設される樹脂上横枠２１２、樹脂下横枠２２２及び樹脂縦枠２３２、２４２とでそれぞれ構成されている。樹脂上横枠２１２及び樹脂下横枠２２２は、金属上横枠２１１及び金属下横枠２２１の内側且つ屋内側にそれぞれ装着され、樹脂縦枠２３２、２４２は、金属縦枠２３１、２４１の内側且つ屋内側にそれぞれ装着されている。
【００１５】
障子３は、上横框（横框）３１、下横框（横框）３２及び縦框３３、３４によって複層ガラス３５を支持し、枠体２に対して、上横框３１及び下横框３２の一方端部に設けられた回動軸（図示省略）を中心に回動可能に取り付けられている。これにより、障子３は、屋外側に向けて開放され、又は、屋内側に向けて収納される。本実施形態では、縦框３３側が吊元側となり、縦框３４側が戸先側となっている。
【００１６】
上横框３１は、左右方向に延びる框本体３１０と、框本体３１０の屋外側から上方に延出する框延出片３１５と、を備える。框本体３１０は、複層ガラス３５の端部が嵌め込まれる凹部３１１を有する。凹部３１１には、縦框３３，３４を締結するためのビス取付部３１２が形成される。ビス取付部３１２は、上横框３１の中空部に位置している。框延出片３１５は、上横框３１の長手方向に連続して形成される。
【００１７】
下横框３２は、左右方向に延びる框本体３２０と、框本体３２０の屋外側から下方に延出する框延出片３２５と、を備える。框本体３２０は、中空部を有する筒状に形成され、この中空部に縦框３３，３４を締結するためのビス取付部３２３が形成される。ビス取付部３２３は、下横框３２の中空部に位置している。框本体３２０の上面に、複層ガラス３５の端部が嵌め込まれる凹部３２２が形成される。框延出片３２５は、下横框３２の長手方向に連続して形成される。
【００１８】
縦框３３は、上下方向に延びる框本体３３０と、框本体３３０の屋外側から左側に延出する框延出片３３５と、を備える。框本体３３０は、複層ガラス３５の端部が嵌め込まれる凹部３３１を有する。同様に、縦框３４は、複層ガラス３５の端部が嵌め込まれる凹部３４１を有する框本体３４０と、框本体３４０の屋外側から右側に延出する框延出片３４５と、を備える。
【００１９】
框延出片３１５、框延出片３２５、框延出片３３５及び框延出片３４５は、何れも障子３と枠体２との隙間の少なくとも一部を覆うように形成されている。そして、上横框３１と縦框３３，３４の連結部分で框延出片３１５と框延出片３３５，３４５がコーナーを形成し、下横框３２と縦框３３，３４の連結部分の連結部分で框延出片３２５と框延出片３３５，３４５がコーナーを形成する。
【００２０】
障子３の上横框３１と縦框３４の接続部分と、下横框３２と縦框３４の接続部分と、のそれぞれには、同じ形状のコーナーピース（カバー部材）５０が配置される。次に、コーナーピース５０の構成について説明する。図３は本実施形態の障子３のコーナーを屋外側から見た様子を示す図であり、図４は障子３のコーナーを屋内側から見た様子を示す図である。図３及び図４は、何れも上横框３１と縦框３４の接続部分の拡大図である。図５は本実施形態の縦框３４と上横框３１の接続部分にコーナーピース５０が取り付けられた様子を屋内側から見た斜視図であり、図６はコーナーピース５０が取り付けられる前の様子を屋内側から見た斜視図である。図７は、本実施形態のコーナーピース５０の取付面側を示す斜視図である。
【００２１】
図３〜図７に示すように、コーナーピース５０は、框固定部５１と、延出片カバー５２と、框本体カバー５３と、を備える。本実施形態では、框固定部５１、延出片カバー５２及び框本体カバー５３は、同一の樹脂材料で一体的に成形される。
【００２２】
框固定部５１について説明する。框固定部５１は、框本体３４０の見込面３４０ａに固定される。図３及び図４に示すように、框固定部５１は、見込方向の屋外側から見たときに框延出片３４５の裏側に位置している。
【００２３】
図５〜図７に示すように、框固定部５１の取付面側には、返し部分を有する嵌合爪５１１と、略直線状に延出する規制爪５１２と、が形成される。嵌合爪５１１及び規制爪５１２は、何れも、框固定部５１の取付面に見込方向に間隔をあけて２つ設けられる。嵌合爪５１１と規制爪５１２は、縦框３４の長手方向（上下方向）に並んでおり、２つ１組の関係になっている。
【００２４】
框本体３４０の見込面３４０ａには、矩形の嵌合孔３４７が見込方向に間隔をあけて２箇所形成される。１つの嵌合孔３４７に、上下に並ぶ嵌合爪５１１と規制爪５１２の両方が差し込まれる。框固定部５１は、縦框３４の長手方向に並ぶ２つの嵌合爪５１１によって縦框３４に固定される。
【００２５】
また、嵌合爪５１１が嵌合孔３４７の一側の端部に接触することで縦框３４の長手方向一側の移動を規制するとともに、規制爪５１２が嵌合孔３４７の他側の端部に接触することでコーナーピースの縦框３４の長手方向他側の移動が規制される。
【００２６】
また、框固定部５１には矩形の貫通孔５１５が形成される。貫通孔５１５は、縦框３４の見込面３４０ａにおいて、上横框３１を縦框３４にビス（締結部材）９０を締結する締結孔３４６の位置に対応している。即ち、貫通孔５１５は、上横框３１のビス取付部３１２（図１参照）に対応する位置に形成される。
【００２７】
延出片カバー５２について説明する。延出片カバー５２は、框延出片３４５の角部（障子３のコーナー）を覆っている。本実施形態の延出片カバー５２は、カバー支持部５２１と、カバー部５２２と、を備える。
【００２８】
カバー支持部５２１は、框固定部５１から框延出片３４５の屋内側面３４５ａに沿って延びる。カバー部５２２は、カバー支持部５２１の先端から框延出片３４５を屋内側から屋外側に跨いでコーナーを覆っている。図３に示すように、延出片カバー５２は、見込方向の屋外側から見たときに、カバー支持部５２１は框延出片３４５の裏側に位置し、カバー支持部５２１のみが屋外側に露出する形状となっている。
【００２９】
框本体カバー５３について説明する。框本体カバー５３は、框本体３４０の角部（障子３のコーナー）を覆っている。本実施形態の框本体カバー５３は、カバー部５３１と、カバー延出部５３２と、を備える。
【００３０】
図８は、本実施形態のコーナーピース５０の框本体カバー５３を示す図４の拡大図である。カバー部５３１は、框固定部５１の端面から框本体５１０の角部に沿って曲がり、框本体３４０の端部を覆っている。
【００３１】
カバー延出部５３２は、カバー部５３１から延出して框本体３４０の端面との間に隙間ｄを形成する。カバー延出部５３２は、カバー部５３１よりも上横框３１側に延出しており、その先端部が上横框３１の框本体３１０の見込面３１０ａに対向しており、上横框３１の框本体３１０と縦框３４の框本体３４０の連結部分を覆っている。
【００３２】
以上、上横框３１と縦框３４の連結部分に配置されるコーナーピース５０について説明した。下横框３２と縦框３４の連結部分に配置されるコーナーピース５０についても基本的な構成は同様であるが、框固定部５１の貫通孔５１５と下横框３２のビス取付部３２３の位置関係は異なっている。図１に示すように、ビス９０が締結されるビス取付部３２３は、框固定部５１とは重ならない位置になっている。従って、下横框３２と縦框３４の連結部分に配置されるコーナーピース５０についても、ビス９０と干渉しない形状となっており、下横框３２と縦框３４の連結を行った後でも、コーナーピース５０を取り付けることが可能である。
【００３３】
本実施形態では、縦框３４の上部に配置されるコーナーピース５０は、貫通孔５１５の内側にビス９０が位置させることで、ビス９０が框固定部５１に重ならない形状となっている。また、縦框３４の上部に配置されるコーナーピース５０は、ビス９０が框固定部５１の上方で締結されており、框固定部５１がビス９０に干渉しない大きさに形成されることで、ビス９０が框固定部５１に重ならない形状となっている。
【００３４】
また、縦框３３と上横框３１の連結部分に配置されるコーナーピース５０及びビス取付部３１３の位置関係は、上横框３１と縦框３４の連結部分に配置されるコーナーピース５０及びビス取付部３１３と同様の構成、位置関係であり、縦框３３と下横框３２の連結部分に配置されるコーナーピース５０及びビス取付部３２３の位置関係は、下横框３２と縦框３４の連結部分に配置されるコーナーピース５０及びビス取付部３２３と同様の構成、位置関係である。
【００３５】
上記実施形態によれば、以下のような効果を奏する。
本実施形態の建具１の障子３は、枠体２に対向する見込面３４０ａを有する框本体３４０及び框本体３４０から見付方向で枠体２側に延びる框延出片３４５を有する縦框３４（又は縦框３３）と、框延出片３４５のコーナーを覆う延出片カバー５２及び延出片カバー５２を支持するとともに框本体３４０の見込面３４０ａに固定される框固定部５１を有するコーナーピース（カバー部材）５０と、を備える。
【００３６】
これにより、延出片カバー５２を支持する框固定部５１が、外観上露出する框延出片３４５の見付面ではなく、露出しない框本体３４０の見込面３４０ａに位置するので、見付面に表れる延出片カバー５２の大きさを必要最小限にすることができ、意匠性を向上させることができる。また、コーナーピース５０の固定でビス等の締結部材を用いる必要があにので、取り替えが容易で、良好なメンテナンス性を実現できる。
【００３７】
また、本実施形態の建具１は、一方の縦框３４は、枠体２に対向するとともにビス９０が締結される見込面３４０ａを有し、他方の上横框３１、下横框３２は、一方の縦框３４の見込面３４０ａの反対側に当接した状態で、当該縦框３４の見込面３４０ａを貫通するビス９０が締結されるビス取付部３１２，３２３を有する。障子３は、一方の縦框３４の端面の少なくとも一部を覆う框本体カバー５３及び見込面３４０ａに固定される框固定部５１を有するコーナーピース（カバー部材）５０を備え、框固定部５１は、見込面３４０ａに配置された状態でビス９０の締結孔３４６から間隔をあけた位置に形成される嵌合爪（嵌合部）５１１を有し、当該嵌合爪５１１によって見込面３４０ａに固定される。
【００３８】
これにより、コーナーピース５０は、上横框３１及び下横框３２と縦框３４を框組みするための締結孔３４６から離れた位置で嵌合爪５１１によって框固定部５１を縦框３４の見込面３４０ａに嵌合固定できる。従って、コーナーピース５０を、框組み作業の前後の何れでも、コーナーピース５０を固定する作業を行うことができ、高い製造性を実現できる。
【００３９】
また、本実施形態のコーナーピース５０は、框本体３４０のコーナーを覆う框本体カバー５３を更に有する。
【００４０】
これにより、１つのコーナーピース５０で框延出片３４５だけでなく、框本体３４０についてもカバーすることができる。
【００４１】
また、本実施形態のコーナーピース５０は、上横框３１（又は下横框３２）の見込面３１０ａに対向するカバー延出部（第２のカバー部）５３２を有する。
【００４２】
これにより、１つのコーナーピース５０によって上横框３１（又は下横框３２）と縦框３４の両方の端部をカバーすることができる。
【００４３】
また、本実施形態のカバー延出部５３２は、縦框３４の端面との間に隙間ｄを形成する。
【００４４】
これにより、縦框３４と上横框３１（又は下横框３２）を框組みするときに、製造時のバラつきや組み立て時のバラつき等によって上横框３１（又は下横框３２）が縦框３４の端面からはみ出したとしても、隙間ｄによってはみ出した部分が吸収される。従って、コーナーピース５０の取付時にカバー延出部５３２が上横框３１に干渉しなくなり、製造性をより一層向上させることができる。
【００４５】
以上、本発明の好ましい実施形態について説明したが、本発明は、上述の実施形態に制限されるものではなく、適宜変更が可能である。
【００４６】
上記実施形態では、上横框３１、下横框３２、縦框３３，３４の全ての連結部分にコーナーピース５０が配置される構成を説明したが、必要な箇所にだけコーナーピース５０を配置することもできる。例えば、戸先側の連結部分（上横框３１と縦框３４の連結部分、下横框３２と縦框３４の連結部分）にコーナーピース５０を配置し、吊元側の連結部分（上横框３１と縦框３３の連結部分、下横框３２と縦框３３の連結部分）にはコーナーピース５０を配置しない構成としてもよい。
【００４７】
上記実施形態では、回転式の開き障子を例として説明したが、開閉方式はこれに限定されない。例えば、縦辷り式や横辷り式の開閉方式にも本発明を適用することができる。
【符号の説明】
【００４８】
１  建具
２  枠体
３  障子
３１  上横框（他方の横框）
３２  下横框（他方の横框）
３３  縦框（框）
３４  縦框（框、一方の框）
５０  コーナーピース
５１  框固定部
５２  延出片カバー
５３  框本体カバー
９０  ビス
３１２，３２３  ビス取付部
３４０  框本体
３４０ａ  見込面
３４５  框延出片
３４６  締結孔
５１１  嵌合爪
５３２  カバー延出部（第２のカバー部）
【図１】
2019157540.tif 000003
【図２】
2019157540.tif 000004
【図３】
2019157540.tif 000005
【図４】
2019157540.tif 000006
【図５】
2019157540.tif 000007
【図６】
2019157540.tif 000008
【図７】
2019157540.tif 000009
【図８】
2019157540.tif 000010